(57)【要約】【課題】鼻の表面に汗をかいても、その汗によって滑りが生じることがなく、メガネフレームを所定の位置に保持することができるノーズパッドを提供する。【解決手段】合成樹脂からなるノーズパッド１であって、表面のうちの少なくとも鼻と接触する部分に、ショットブラスト等の加工法により複数の微小凹凸２を設け、各凸部３の先端を尖った形状に形成する。複数の微小凹凸によりノーズパッドと鼻との間の摩擦力を高めることができるので、鼻の表面に汗をかいて、その汗が鼻とノーズパッド１との間に介在しても、ノーズパッド１に滑りが生じるようなことはなく、メガネフレームを所定の位置に確実に保持することができることになる。【選択図】        図１
2004163531.tif 000002
【特許請求の範囲】
【請求項１】
合成樹脂からなるノーズパッドであって、表面のうちの少なくとも鼻と接触する部分に、複数の微小凹凸を設けたことを特徴とするノーズパッド。
【請求項２】
前記微小凹凸の各凸の先端を尖らせたことを特徴とする請求項１に記載のノーズパッド。
【請求項３】
前記微小凹凸の各凸の先端を丸めたことを特徴とする請求項１に記載のノーズパッド。
【発明の詳細な説明】
【０００１】
【発明の属する技術分野】
本発明は、ノーズパッドに関し、特に、各種のメガネフレームに使用されるノーズパッドに関するものである。
【０００２】
【従来の技術】
メガネフレームには種々のタイプのものがあり、例えば、レンズの外周部を保持する一対の環状の枠と、両枠の内縁部間に連結されるブリッジと、各枠の内縁部に脚を介して取り付けられる合成樹脂製のノーズパッドと、各枠の外縁部に連結されるヨロイと、各ヨロイに蝶番を介して連結されるテンプルとを備えたものが一般に知られている。
【０００３】
そして、このような構成のメガネフレームの両テンプルを両耳に掛け、両ノーズパッドを鼻の両側面に当接させることで、メガネフレームを顔の所定の位置に保持することができるものである。
【０００４】
【発明が解決しようとする課題】
しかしながら、上記のような構成のメガネフレームに用いられるノーズパッドにあっては、表面が滑らかに形成されているため、鼻の表面に汗をかいてその汗がノーズパッドと鼻との間に介在した場合に、ノーズパッドと鼻との間の摩擦力が低下してノーズパッドに滑りが生じ、メガネフレームが所定の位置からずり落ちてしまう。このため、メガネフレームを顔から外し、ノーズパッドの表面に付着した汗を布等で拭き取る作業が必要となる。
【０００５】
本発明は、上記のような従来の問題を解決したものであって、鼻の表面に汗をかいても、その汗によって滑りが生じるようなことがなく、メガネフレームを所定の位置に確実に保持することができるノーズパッドを提供することを目的とするものである。
【０００６】
【課題を解決するための手段】
上記のような課題を解決するために、本発明の請求項１に係るノーズパッドは、合成樹脂からなるノーズパッドであって、表面のうちの少なくとも鼻と接触する部分に、複数の微小凹凸を設けた手段を採用したものである。また、本発明の請求項２に係るノーズパッドは、請求項１に記載のノーズパッドにおいて、前記微小凹凸の各凸の先端を尖らせた手段を採用したものである。さらに、本発明の請求項３に係るノーズパッドは、請求項１に記載のノーズパッドにおいて、微小凹凸の各凸の先端を丸めた手段を採用したものである。
【０００７】
【作用】
本発明は、上記のような手段を採用したことにより、ノーズパッドの表面のうち、少なくとも鼻と接触する部分には、複数の微小凹凸が設けられているので、ノーズパッドと鼻との間の摩擦力を高めることができる。従って、鼻の表面に汗をかいて、その汗がノーズパッドと鼻との間に介在しても、ノーズパッドに滑りが生じるようなことはない。
【０００８】
【発明の実施の形態】
以下、図面に示す本発明の実施の形態について説明する。
図１及び図２には、本発明によるノーズパッドの一実施の形態が示されていて、このノーズパッド１は、フルリムタイプのメガネフレーム等に用いられるものであって、脚（図示せず）を介して各枠（図示せず）の内縁部に取り付けられるようになっている。
【０００９】
すなわち、このノーズパッド１は、図１に示すように、略楕円板状に形成されるものであって、シリコン樹脂等の合成樹脂を素材として適宜のプラスチック成形法により成形されるようになっている。
【００１０】
ノーズパッド１の表面には、複数の微小凹凸２が設けられている。微小凹凸２は、ショットブラスト等の加工法により加工されるものであって、使用するショットに応じた形状に形成されるようになっている。この実施の形態においては、図２に示すように、微小凹凸２の各凸部３の先端が尖った形状となるようなショットを使用している。
【００１１】
微小凹凸２は、ノーズパッド１の表面のうちの少なくとも鼻と接触する部分に設けられる。但し、ショットブラスト等による生産効率を高めるために表面の全体に設けようにしても良い。
【００１２】
ノーズパッド１の裏面側には、金属製の取付治具（図示せず）が埋設され、この取付治具を介して金属製の脚（図示せず）の一端部にノーズパッド１が取り付けられるようになっている。
【００１３】
そして、上記のような構成のノーズパッドを脚を介して各枠の内縁部に取り付けることにより、フルリムタイプのメガネフレームが構成される。そして、両テンプルを両耳に掛け、ノーズパッド１を鼻の側面に当接させることにより、メガネフレームを顔の所定の位置に保持することができるものである。
【００１４】
上記のように構成したこの実施の形態によるノーズパッド１にあっては、表面に複数の微小凹凸２が設けられ、各凸部３の先端が尖った形状に形成されているので、ノーズパッドと鼻との間の摩擦力を高めることができることになる。従って、鼻の表面に汗をかいて、その汗がノーズパッド１と鼻との間に介在しても、その汗によってノーズパッド１に滑りが生じるようなことはなく、メガネフレームを所定の位置に保持することができることになる。この結果、メガネフレームを外してノーズパッド１の表面に付着した汗を布等により拭き取るような作業が不要となる。
【００１５】
なお、前記の説明においては、複数の微小凹凸の各凸部の先端を尖った形状に形成したが、図３に示すように、複数の微小凹凸２の各凸部３の先端を丸めた形状に形成しても良いものであり、その場合には、各凸部３を鼻の表面に滑らかに当接させることができることになる。
【００１６】
また、前記の説明においては、ノーズパッド１を略楕円板状に形成したが、略円板状に形成しても良いし、その他の形状に形成しても良い。
【００１７】
【発明の効果】
本発明は、前記のように構成して、表面のうちの少なくとも鼻と接触する部分に複数の微小凹凸を設けたことにより、ノーズパッドと鼻との間の摩擦力を高めることができることになる。従って、鼻の表面に汗をかいて、その汗がノーズパッドと鼻との間に介在しても、その汗によってノーズパッドに滑りが生じるようなことはなく、メガネフレームを所定の位置に保持することができることになる。この結果、メガネフレームを外してノーズパッドの表面に付着した汗を布等により拭き取る作業が不要となる。
【図面の簡単な説明】
【図１】本発明によるノーズパッドの一実施の形態を示した斜視図である。
【図２】図１に示すものの表面形状の拡大断面図である。
【図３】図１に示すものの表面形状の他の例の拡大断面図である。
【符号の説明】
１……ノーズパッド
２……微小凹凸
３……凸部
【図１】
2004163531.tif 000003
【図２】
2004163531.tif 000004
【図３】
2004163531.tif 000005